(57)【特許請求の範囲】
【請求項１】
２つの筐体を折り畳み可能に結合するヒンジ部と、
前記ヒンジ部を通過し、前記２つの筐体を電気的に接続するクランク型構造のフレキシブルプリント回路基板と、
前記フレキシブルプリント回路基板の端面を前記ヒンジ部との接触から保護する保護手段とを有することを特徴とする移動式無線通信装置。
【請求項２】
前記保護手段は、前記ヒンジ部の内面に設けられて前記フレキシブルプリント回路基板の端面が前記ヒンジ部に接触することを防止して前記フレキシブルプリント回路基板の端面と接触する樹脂部材であることを特徴とする請求項１記載の移動式無線通信装置。
【請求項３】
前記樹脂部材はテープであることを特徴とする請求項２記載の移動式無線通信装置。
【請求項４】
前記保護手段は、前記フレキシブルプリント回路基板に設けられ、前記ヒンジ部の内面に沿って延び、前記フレキシブルプリント回路基板の端面の代わりに前記ヒンジ部と接触する部材であることを特徴とする請求項１記載の移動式無線通信装置。
【請求項５】
前記部材は、前記フレキシブルプリント回路基板の一部であることを特徴とする請求項４記載の移動式無線通信装置。
【請求項６】
前記フレキシブルプリント回路基板は複数層から構成され、
前記部材は、両端の層のいずれか一層であることを特徴とする請求項４記載の移動式無線通信装置。
【請求項７】
前記部材は、前記フレキシブルプリント回路基板の信号線を含まないことを特徴とする請求項５又は６記載の移動式無線通信装置。
【発明の詳細な説明】
【技術分野】
【０００１】
本発明は、一般には、折り畳み式の携帯電話機（ＰＤＣ：パーソナル・ディジタル・セルラー）、パーソナル・ハンディホン・システム（ＰＨＳ）、その他の移動通信端末（本出願においては、これらを「移動式無線通信装置」と総称する。）に係り、特に、ヒンジ部の内部構造に関する。
【背景技術】
【０００２】
近年の移動式無線通信装置の普及に伴い、移動式無線通信装置は単に通信を行えるだけにとどまらず、操作性や部材の耐久性の向上、装置の小型化など様々な需要がある。
【０００３】
携帯電話機には、一般に、折り畳み式の携帯電話機と折り畳み式ではない棒状の携帯電話機が存在する。このうち、折り畳み式の携帯電話機は、典型的には、液晶ディスプレイ（以下、「ＬＣＤ」という。）画面を含む可動側筐体とテンキーを含む固定側筐体とがヒンジ部を介して折り畳み可能に構成される。折り畳み式携帯電話機のヒンジ部においては、可動側筐体と固定側筐体とを電気的に接続する接続部が可動側筐体と固定側筐体との間にヒンジ部を通って設けられている。接続部は、一般に、基板間のケーブル線やフレキシブルプリント回路基板（以下、「ＦＰＣ」という。）から構成される。ケーブルは、例えば、高周波信号の伝達に使用される同軸ケーブルである。ＦＰＣは、例えば、可動側筐体と固定側筐体の各々に設けられるプリント基板を接続し、各種信号を伝達するのに使用される。
【０００４】
ＦＰＣには、ヒンジ部において一回巻かれるカール型構造と、ヒンジ部において捻られて屈曲形状を有するクランク型構造がある。現在の主流はカール型構造であるが、クランク型構造はカール型構造よりもヒンジ部の外形を小さくすることができ、携帯電話機の小型化に資することから今後の需要が期待されている。
【０００５】
従来技術としては、例えば、特許文献１及び２がある。
【特許文献１】特開２００４−７２１８号公報
【特許文献２】特開２００３−１９８１５５号公報
【発明の開示】
【発明が解決しようとする課題】
【０００６】
折り畳み式携帯電話機では可動側筐体の開いた時におけるＦＰＣの経路よりも閉じた時のＦＰＣの経路の方が長い。このように可動側筐体の開閉間でＦＰＣの経路長が異なるため、ＦＰＣの長さを可動側筐体の開いた時の経路長に設定すると閉じた時ではＦＰＣは突っ張って閉口できないか断裂又は引き伸ばされて内部回路が断線してしまう。このため、ＦＰＣの長さを可動側筐体の閉じた時の経路長を基準に設定する必要がある。換言すれば、ＦＰＣは、可動側筐体の開いた時の経路長に対して余長が必要である。
【０００７】
しかし、かかる余長により、可動側筐体の開閉時に、ＦＰＣ端面はヒンジ部内面に押し付けられてカリカリという擦れ音を発生し、操作性又は操作の快適性を低下する。ＦＰＣの基材は一般にポリイミドなどの樹脂材料から構成される。一方、ヒンジ部は、接続部を保護すると共に可動側筐体と固定側筐体の結合を安定するために、ＳＵＳ焼結材料や亜鉛などの硬い金属材料から構成される。このため、ＦＰＣとヒンジ部と擦れるとＦＰＣ端面が磨耗する。ＦＰＣの磨耗が進むと、ＦＰＣの信号線が露出して断線する。この結果、折り畳み式携帯電話機の耐久性が低下する。
【０００８】
そこで、本発明は、クランク型ＦＰＣを採用して装置の小型化を図りつつ操作性と耐久性を向上する移動式無線通信装置を提供することを例示的な目的とする。
【課題を解決するための手段】
【０００９】
本発明の一側面としての移動式無線通信装置は、２つの筐体を折り畳み可能に結合するヒンジ部と、前記ヒンジ部を通過し、前記２つの筐体を電気的に接続するクランク型構造のフレキシブルプリント回路基板と、前記フレキシブルプリント回路基板の端面を前記ヒンジ部との接触から保護する保護手段とを有することを特徴とする。かかる移動式無線通信装置は、保護手段がＦＰＣの端面をヒンジ部との接触及び磨耗から保護するので、擦れ音や断線を防止して操作性と耐久性を向上することができる。
【００１０】
前記保護手段は、前記ヒンジ部の内面に設けられて前記フレキシブルプリント回路基板の端面が前記ヒンジ部に接触することを防止して前記フレキシブルプリント回路基板の端面と接触する樹脂部材であってもよい。ＦＰＣは一般にポリイミドなどの樹脂材料から構成され、樹脂同士の接触であれば樹脂と金属との接触よりも磨耗は低減するからである。樹脂材料は、例えば、テフロン、カプトン、ＰＯＭ（ポリオキシメチレン）などである。
【００１１】
前記保護手段は、前記フレキシブルプリント回路基板に設けられ、前記ヒンジ部の内面に沿って延び、前記フレキシブルプリント回路基板の端面の代わりに前記ヒンジ部と接触する部材であってもよい。かかる部材は、ＦＰＣの端面のような線接触ではなく面接触となるのでヒンジ部内面における滑り度が向上し、摩擦は低減する。
【００１２】
前記部材は、前記フレキシブルプリント回路基板の一部であってもよい。別部材にする必要がないので組立性が向上すると共に部品点数の削減によりコストダウンを図ることができる。前記フレキシブルプリント回路基板は複数層から構成され、前記部材は、両端の層のいずれか一層であってもよい。これにより、端部を覆って保護することができる。前記部材は、前記フレキシブルプリント回路基板の信号線を含まないことが好ましい。これにより、信号線の断線を防止することができる。
【００１３】
本発明の更なる目的又はその他の特徴は、以下、添付図面を参照して説明される好ましい実施例によって明らかにされるであろう。
【発明の効果】
【００１４】
本発明によれば、クランク型ＦＰＣを採用して装置の小型化を図りつつ操作性と耐久性を向上する移動式無線通信装置を提供することができる。
【発明を実施するための最良の形態】
【００１５】
以下、添付図面を参照して、本発明の移動式無線通信装置の一例である携帯電話機１００について説明する。ここで、図１（ａ）は開口した携帯電話機１００の左側面図、図１（ｂ）は開口した携帯電話機１００の正面図、図１（ｃ）は閉口した携帯電話機１００の正面図、図１（ｄ）は閉口した携帯電話機１００の左側面図、図１（ｅ）は閉口した携帯電話機１００の背面図である。図２は、携帯電話機１００の分解斜視図である。
【００１６】
携帯電話機１００は、可動側筐体１１０と固定側筐体１２０とがヒンジ部１３０によって折り畳み可能に結合される折り畳み式携帯電話機であり、可動側筐体１１０は固定側筐体１２０に対して回転可能に構成される。ユーザは、携帯電話機１００の不使用時に図１（ａ）のａ１方向に可動側筐体１１０を回転することによって可動側筐体１１０を、図１（ｄ）に示すように、固定側筐体１２０に折り畳むことができる。また、ユーザは、携帯電話機１００の使用時に折り畳まれた可動側筐体１１０を図１（ｄ）のａ２方向に回転することによって可動側筐体１１０を、図１（ａ）に示すように、固定側筐体１２０に対して開口することができる。
【００１７】
可動側筐体１１０は、図１（ｂ）及び図１（ｃ）に示すように、フロントケース１１２とリアケース１１４とを結合した筐体構造を有し、図２に示すように、ＬＣＤホルダ（可動側シャーシ）１１６を内蔵すると共に各種部材を収納する。各種部材は、表示部１４０、レシーバ１４２、プリント基板１４４を含む。
【００１８】
フロントケース１１２とリアケース１１４は、例えば、ＡＢＳ樹脂から射出成形によって構成される。両者は、ネジ１１３ａによって結合され、ネジ１１３ａはＰＥＴ製のネジキャップ１１３ｂに覆われる。また、可動側筐体１１０の内部にはプリント基板１１４及びＬＣＤホルダ１１６固定用のネジ１１３ｃが設けられる。
【００１９】
図２に示すように、フロントケース１１２には、ケースパッド１１１ａ、レシーバーパネル１１１ｂと、フロントパネル１１１ｃが取り付けられる。
【００２０】
表示部１４０は、通信情報（送信情報、着信情報、アドレス帳情報、操作部１５０によって入力された情報、各種機能情報など）を表示するＬＣＤモジュールから構成される。ＬＣＤモジュール１４０は、マグネシウム合金製のＬＣＤホルダ（可動側シャーシ）１１６に保持される。
【００２１】
ＬＣＤホルダ１１６は、後述するヒンジ部１３１の凸部１３１ｂを形成する円筒部１１６ａを有する。円筒部１１６ａは、長手方向に延びる溝部１１６ｂを有する略円筒中空形状を有し、ＡＢＳ製のフロントヒンジカバー１３２ａとリアヒンジカバー１３２ｂによって覆われる。カバー１３２ａ及び１３２ｂに覆われても溝部１１６ｂは確保される。溝部１１６ｂは、後述するように、フレキシブルプリント回路基板（ＦＰＣ）１７０の導入口である。
【００２２】
レシーバ１４２は、通話相手の音声を出力する。プリント基板１４４は、表示部１４０に表示される情報、レシーバ１４２から出力される情報を処理すると共に、ＦＰＣ１７０を介して後述するプリント基板１５２と交信する。
【００２３】
固定側筐体１２０も、図１（ａ）、図１（ｂ）及び図１（ｅ）に示すように、フロントケース１２２とリアケース１２４とを結合した筐体構造を有し、図２に示すように、キーケース（固定側シャーシ）１２６とホルダ１２８とを内蔵すると共に各種部材を収納する。各種部材は、操作部１５０と、プリント基板１５２と、スピーカー１５３と、バイブレータ１５４と、カメラ１５５、ＩｒＤａパネル１５７、バッテリ部１５８、アンテナ１５９を含む。
【００２４】
フロントケース１２２とリアケース１２４は、例えば、ＡＢＳ樹脂から射出成形によって構成される。両者は、ネジ１２３ａによって結合され、ネジ１２３ａはＡＢＳ樹脂製のネジキャップ１２３ｂとリアカバー１２５に覆われる。また、固定側筐体１２０の内部にはプリント基板１５２固定用のネジ１２３ｃが設けられる。フロントケース１２２は、ヒンジ部１３０の凸部１３１ａ及び１３１ｃを形成する円筒形状のカバー１２２ａ及び１２２ｂを有する。リアケース１２４はリアカバー１２５と分離可能に結合される。
【００２５】
操作部１５０は、トラックボール型の操作部１５０ｃと、テンキー型の操作部１５０ｄとを搭載したパッド１５０ａとフレキシブルモジュール１５０ｂとを有し、通信情報を入力する。パッド１５０ａから情報が入力され、フレキシブルモジュール１５０ｂはスイッチとして機能する。操作部１５０はマグネシウム合金製のキーケース１２６及びフロントケース１２２に保持される。
【００２６】
キーケース１２６は、後述するヒンジ部１３１の凸部１３１ａ及び１３１ｃを形成する円筒部１２６ａ及び１２６ｂを有する。円筒部１２６ａは後述するセンターシャフト１６０の基部１６１を部分的に収納する半円筒の中空収納部１２６ｃを形成する。後述する図４を参照するに、円筒部１２６ａは後述するセンターシャフト１６０の固定部１６２を固定するネジ孔１２６ｄを有する。円筒部１２６ｂは略円筒形状の中空部を有し、後述するヒンジモジュール１６７を収納するする。
【００２７】
プリント基板１５２は、操作部１５０から入力された情報、送受信情報、その他の情報を処理したり、表示部１４０に送信したりする。プリント基板１５２には、通話時にユーザから音声入力される図示しないマイクが取り付けられる。プリント基板１５２は、ＡＢＳ製のホルダ１２８及びキーケース１２６に保持される。
【００２８】
プリント基板１５２はイヤホンが接続可能な端子と、パーソナルコンピュータなどの外部装置との接続端子とを有し、それぞれの端子はリアケース１２４に取り付けられるゴム製カバー１２７ａ及び１２７ｂで覆われる。
【００２９】
スピーカー１５３は、着信音を出力し、リアケース１２４の開口部１２４ｂに取り付けられる。バイブレータ１５４は、スピーカー１５３による発音の代わりに、ユーザに着信を振動によって伝える。
【００３０】
カメラ１５５は静止・動画撮影が可能なモジュールである。マクロ切り替えリング１５５ｂは通常の撮影モードと接写モードとを切り替え（即ち、焦点を切り替え）、リアケース１２４の開口部１２４ａに取り付けられる。アクリル製のアウトカメラパネル１５５ａは、ＡＢＳ製のマクロ切り替えリング１５５ｂに嵌合し、レンズを保護する。
【００３１】
ＩｒＤＡパネル１５７は赤外線を利用した近距離のデータ通信に使用される。バッテリ部１５８は、二次電池としてのバッテリパックからなり、それを露出及び覆うレアカバー１２５がリアケース１２４に分離可能に取り付けられる。リアカバー１２５の下にもフロントケース１２２とリアケース１２４とを結合するネジ１２３ａが配置される。アンテナ１５９は、基地局との通信に使用される。
【００３２】
ホルダ１２８はカメラ１５５やアンテナ１５９、スピーカー１５３、バイブレータ１５４を保持する。
【００３３】
なお、固定側筐体１２０に搭載される各種部材には当業界で周知のいかなる技術をも適用することができるので、ここでは詳しい説明は省略する。
【００３４】
ヒンジ部１３０は、可動側筐体１１０を固定側筐体１２０に対して折り畳み可能に結合し、分割構造を採る。ヒンジ部１３０は、図１（ｂ）に示すように、固定側筐体１２０の両端に形成された一対の凸部１３１ａ及び１３１ｃと、可動側筐体１１０に形成され、前記一対の凸部の間に配置される凸部１３１ｂから構成される。このように、本実施形態のヒンジ部１３０は、三分割構造を採っているが、本発明はヒンジ部１３０を五分割構造など分割構造を限定しない。
【００３５】
以下、図２乃至図４を参照して、ヒンジ部１３０の構造をより詳細に説明する。ここで、図３は、ヒンジ部１３０の組み立てを説明するための正面側の分解斜視図である。図４は、ヒンジ部１３０の組み立てを説明するための裏面側の分解斜視図である。
【００３６】
図３に示すように、凸部１３１ａ乃至１３１ｃは中空収納部を形成し、凸部１３１ｂは凸部１３１ａ及び１３１ｃの間で回転する。上述したように、凸部１３１ａは円筒部１２６ａ及びカバー１２２ａから構成され、凸部１３１ｃは円筒部１２６ｂ及びカバー１２２ｂから構成される。凸部１３１ｂは円筒部１１６ａとカバー１３２ａ及び１３２ｂから構成される。ヒンジ部１３０は、センターシャフト１６０、パイプ１６３及びヒンジモジュール１６７を更に有すると共にＦＰＣ１７０を通過させる。
【００３７】
センターシャフト１６０は、ＦＰＣ１７０がヒンジ部１３０から通過する経路を確保する。また、センターシャフト１６０は、ヒンジ部１３０の強度を高める機能も有し、このためＳＵＳや亜鉛などの金属材料から形成される。センターシャフト１６０は、凸部１３１ａが形成する中空円筒部に配置され、基部１６１と固定部１６２とを有する。
【００３８】
基部１６１は略円筒形状を有し、中空円筒部を規定する。基部１６１は、円筒部１２６ａ内に固定され、溝部１６１ａと係合部１６１ｂを有する。溝部１６１ａとセンターシャフト１６０のセンターパイプ１６３側の開口をＦＰＣ１７０が通過する。係合部１６１ｂは、基部１６１の先端に設けられる中空円筒部であり、円筒部１２６ａから突出してセンターパイプ１６３と係合する。係合部１６１ｂは、凸部１３１ｂ内に配置される。
【００３９】
固定部１６２は、基部１６１から延びる板状部であり、ネジ孔１６２ａを有する。ネジ孔１６２ａは、キーケース１２６のネジ孔１２６ｄに固定される。この結果、センターシャフト１６０は固定側筐体１２０に固定される。
【００４０】
センターパイプ１６３は、ＦＰＣ１７０が可動側筐体１１０からヒンジ部１３０に導入されてヒンジ部１３０の長手方向に沿ってセンターシャフト１６０に向かって延びる経路を確保する。センターパイプ１６３は中空円筒部材として構成され、ＬＣＤホルダ１１６に固定される。センターパイプ１６３はＰＯＭ（ポリオキシメチレン）から形成され、溝部１６４と突出部１６５とを有する。センターパイプ１６３は、センターシャフト１６０と部分的に係合するが、センターシャフト１６０は固定側筐体１２０のキーシャフト１２６に固定されるのに対し、センターパイプ１６３は可動側筐体１１０のＬＣＤホルダ１１６に固定されてＬＣＤホルダ１１６と共に回動する。溝部１６４とセンターパイプ１６３のセンターシャフト１６０側の開口をＦＰＣ１７０が通過する。突出部１６５は、溝部１６４からセンターパイプ１６３の外側に略垂直に延びて溝部１１６ｂから突出及び係合する。突出部１６５が溝部１１６ｂと係合することによって、溝部１１６ｂと１６４の接続が固定する。
【００４１】
本実施例のヒンジモジュール１６７は、フリーストップ機構及び引き込み機構を収納しているが、本発明はヒンジモジュールが必ずしもこれら全ての機能を具備している必要はない。ここで、フリーストップ機能とは、可動側筐体１１０が固定側筐体１２０となす角度を任意の角度に維持することができる機能をいう。引き込み機構とは、可動側筐体１１０が開閉状態付近の角度になると自動的に開閉状態になる機能をいう。
【００４２】
ヒンジモジュール１６７は、円筒部１２６ｂから挿入され部分的に凸部１３１ｂに突出する。装着時には、図４に示すブッシュ１６６をヒンジモジュール１６７と係合させた後でヒンジ部１３０の凸部１３１ｃに押し込んでスナップで固定する。なお、ヒンジモジュールには当業界で周知のいかなる構成をも適用することができるので、ここでは詳しい説明は省略する。
【００４３】
ＦＰＣ１７０は、プリント基板１４４とプリント基板１５２とを電気的に接続する。本実施例のＦＰＣ１７０は、ヒンジ部１３０内で一回巻かれないクランク型構造を有する。クランク型構造は、ヒンジ部１３０内で一回巻かれるカール巻き構造よりもヒンジ部１３０を小型にでき、ひいては携帯電話機１００の全体を小型にする効果を有する。ＦＰＣ１７０は、複数の並列に配置された信号線を絶縁材料（例えば、ポリイミド樹脂）でコーティングした積層構造を有する。例えば、ＦＰＣ１７０は、信号線としての中央層、フレームグラウンド（ＦＧ）線としての両側層からなる三層構造を有する。ＦＰＣ１７０の層数は限定されず、信号線や絶縁材料には当業界で周知のいかなる技術をも適用することができるので、ここでは詳しい説明は省略する。
【００４４】
クランク型ＦＰＣ１７０は、図２、図４及び図５に示す屈曲形状を有する。ここで、図２及び図４取り付け前のＦＰＣ１７０を示す斜視図であり、図５は取り付け後のＦＰＣ１７０を示す部分拡大斜視図である。ＦＰＣ１７０は、ＬＣＤホルダ１１６の裏面側（表示部１４０と反対側）において、プリント基板１４４に固定される。プリント基板１４４は、図５に示すように、ＬＣＤホルダ１１６の裏面にネジ止めされるので、結局ＦＰＣ１７０はＬＣＤホルダ１１６の裏面に固定される。
【００４５】
ＦＰＣ１７０は、図４において、可動領域１７２、ヒンジ内領域１７４、固定領域１７６に分類することができる。可動領域１７２は、ＦＰＣ１７０の、可動側筐体１１０上で露出する領域及びヒンジ部１３０内部に導入される前の領域（即ち、図５において目視できるＦＰＣ１７０の上側の領域）である。ヒンジ内領域１７４は、ＦＰＣ１７０のヒンジ部１３０内に収納される領域（即ち、図５において目視できないＦＰＣ１７０の領域）である。固定領域１７６は、ＦＰＣ１７０の、固定側筐体１２０上で露出する領域及びヒンジ部１３０から導出された領域（即ち、図５において目視できるＦＰＣ１７０の下側の領域）である。
【００４６】
ＦＰＣ１７０は、ヒンジ内領域１７４に端面１７５を有する。本実施例のような折り畳み式携帯電話機では可動側筐体１１０の開いた時におけるＦＰＣ１７０の経路よりも閉じた時の経路の方が長い。このように可動側筐体１１０の開閉間で経路長さが異なるため、ＦＰＣ１７０の長さを可動側筐体１７０の開いた時の経路長に設定すると閉じた時ではＦＰＣ１７０は突っ張って閉口できないか断裂又は引き伸ばされて内部回路が断線してしまう。このため、ＦＰＣ１７０の長さを可動側筐体１１０の閉じた時の経路長を基準に設定する必要がある。換言すれば、ＦＰＣ１７０は、図６（ａ）に示すように、可動側筐体１１０の開いた時の経路長に対して余長が必要である。
【００４７】
しかし、この余長により、可動側筐体１１０の開閉時に、端面１７５はヒンジ部１３０のセンターシャフト１６０内面に、図６（ａ）の矢印で示すように、押し付けられてカリカリという擦れ音を発生し、操作性又は操作の快適性を低下する。ＦＰＣの基材は樹脂材料から構成され、センターシャフト１６０は金属材料から構成されるため、端面１７５とヒンジ部１３０と擦れると端面１７５が磨耗する。ＦＰＣ１７０の磨耗が進むと、ＦＰＣ１７０の信号線が露出して断線する。この結果、折り畳み式携帯電話機１００の耐久性が低下する。
【００４８】
そこで、携帯電話機１００は、ＦＰＣ１７０の端面をヒンジ部１３０のセンターシャフト１６０との接触及び磨耗から保護する保護手段を設けている。これにより、保護手段が端面１７５をセンターシャフト１６０との接触及び磨耗から保護するので、擦れ音や断線を防止して操作性と耐久性を向上することができる。
【００４９】
第１の実施例の保護手段は、図６（ａ）に示すように、センターシャフト１６０の内面に設けられてＦＰＣ１７０の端面１７５がセンターシャフト１６０に接触することを防止するように、端面１７５と接触する樹脂テープ１８０である。樹脂テープ１８０はセンターシャフト１６０の内面に貼り付けられる。ＦＰＣ１７０も樹脂材料から構成されるため、樹脂同士の接触であれば樹脂と金属との接触よりも磨耗は低減する。樹脂材料は、例えば、テフロン、カプトン、ＰＯＭなどである。樹脂テープ１８０は、図６（ｂ）に示すように、所定幅の矩形テープであり、センターシャフト１６０の内面において端面１７５が移動する範囲を覆う。接着剤は当業界で周知のいかなるものをも使用することができる。ここで、図６（ｂ）は樹脂テープとしての樹脂部材１８０の平面図である。樹脂部材１８０の厚さは厚すぎるとヒンジ部１３０の大型化をもたらすので数ミリ以内が好ましい。
【００５０】
樹脂テープ１８０はＦＰＣ１７０とは別部材であるが、両者は一体に構成されてもよい。第２の実施例の保護手段は、図７に示すように、ＦＰＣ１７０に設けられ、センターシャフト１６０の内面に沿って延び、端面１７５の代わりにセンターシャフト１６０と接触する延長部（ベロ部）１８０Ａである。かかる部材は、端面１７５のような線接触ではなく面接触となるのでセンターシャフト１６０の内面における滑り度が向上し、摩擦は低減する。ここで、図７は、第２の実施例の保護手段としてのベロ部１８０Ａを示す外観斜視図である。
【００５１】
図７において、ベロ部１８０Ａは、端面１７５を覆うと共に端面１７５よりもセンターシャフト１６０側に位置し、センターシャフト１６０の内面に沿って延びる。
【００５２】
ベロ部１８０ＡはＦＰＣ１７０の一部であってもよいし、別部材を接着その他の手段によって固定してもよい。しかし、ベロ部１８０ＡはＦＰＣ１７０の一部であれば、接着作業などが不要になって組立性が向上すると共に部品点数の削減によりコストダウンを図ることができる。ＦＰＣ１７０が、上述のように、三層構造の場合、保護手段としての部材１８０Ａは両端のＦＧ線層のいずれでもよい。即ち、最下層を上側に屈曲させるか、最上層を下側に屈曲させることにより、端面１７５を覆って保護することができる。この場合、かかる保護層はＦＰＣ１７０の信号線を含まないことが好ましい。これにより、信号線の断線を防止することができる。
【００５３】
図８は、図５と同様に、ベロ部１８０Ａを有するＦＰＣ１７０を使用するＬＣＤホルダ１１６とキーケース１２６のヒンジ部１３０近傍の部分拡大斜視図である。図９は、図８からキーケース１２６を取り除くと共にセンターシャフト１６０を分解した拡大斜視図である。図１０は、図８のＦＰＣ１７０の様子を示す透過斜視図である。
【００５４】
なお、ＦＰＣ１７０には、ＦＰＣＢ１７０に重なって、アンテナの同軸ケーブルや電源ケーブル等のＦＰＣ以外のケーブル（以下、「ＮＦＰＣ（Ｎｏｎ−ＦＰＣ）」ともいう。）が取り付けられもよいが、図示は省略されている。もちろんＦＰＣ１７０とＮＦＰＣは、一体ではなく独立してヒンジ部１３０を通過してもよい。
【００５５】
動作において、ユーザはヒンジモジュール１６７の機能を利用して可動側筐体１１０を固定側筐体１２０に対して開閉する。この場合、保護手段がＦＰＣ１７０の端面１７５がセンターシャフト１６０の内面に接触して磨耗することを防止するので擦れ音や信号線の断線を防止する。この結果、携帯電話機１００の操作性と耐久性を向上することができる。可動側筐体１１０が開口すればユーザは操作部１５０を通じた通話などの各種機能を実行することができる。また、クランク型ＦＰＣ１７０はカール型ＦＰＣよりもヒンジ部１３０の小型化をもたらし、携帯電話機１００の小型、軽量、低価格化を図ることができる。
【００５６】
以上、本発明の好ましい実施例を説明したが、本発明はこれらに限定されずその要旨の範囲内で種々の変形及び変更が可能である。
【図面の簡単な説明】
【００５７】
【図１】図１（ａ）乃至図１（ｅ）は、本発明の移動式無線通信装置の一例としての携帯電話機の開口した状態の側面図、開口した状態の正面図、閉口した状態の上面図、閉口した状態の側面図、及び、閉口した状態の背面図である。
【図２】図１（ａ）乃至図１（ｅ）に示す携帯電話機の分解斜視図である。
【図３】図２に示すＬＣＤホルダ、ヒンジ部、キーケースの組立を説明するための正面側分解斜視図である。
【図４】図２に示すＬＣＤホルダ、ヒンジ部、キーケースの組立を説明するための背面側分解斜視図である。
【図５】図２に示すＬＣＤホルダ、ヒンジ部、キーケースの組立後の背面側分解斜視図である。
【図６】図６（ａ）は、本発明の第１の実施例の保護手段を示すヒンジ部の断面図であり、図６（ｂ）は、保護手段の平面図である。
【図７】本発明の第２の実施例の保護手段を示すフレキシブルプリント回路基板の斜視図である。
【図８】図７に示す保護手段を有するフレキシブルプリント回路基板を使用するＬＣＤホルダとキーケースのヒンジ部近傍の部分拡大斜視図である。
【図９】図８からキーケースを取り除くと共にセンターシャフトを分解した拡大斜視図である。
【図１０】図８の透過斜視図である。
【符号の説明】
【００５８】
１００                    移動式無線通信装置（携帯電話機）
１１０                    可動側筐体
１２０                    固定側筐体
１３０                    ヒンジ部
１６０                    センターシャフト
１６３                    センターパイプ
１７０                    フレキシブルプリント回路基板
１８０、１８０Ａ          保護手段
【図１】
0004703386.tif 000002
【図２】
0004703386.tif 000003
【図３】
0004703386.tif 000004
【図４】
0004703386.tif 000005
【図５】
0004703386.tif 000006
【図６】
0004703386.tif 000007
【図７】
0004703386.tif 000008
【図８】
0004703386.tif 000009
【図９】
0004703386.tif 000010
【図１０】
0004703386.tif 000011